(57)【要約】【課題】  取り付けが簡単且つ確実であるばかりか表示する各種の情報量を多くする。【解決手段】  適宜の形状を有する平板状で適宜軟質のタグ本体２に、被装着動物７の手、足、尻尾などの取付部７１，７２，７３が差し込まれる取付孔３，４，５が形成されており、取付孔３，４，５に被装着動物の手足、尻尾、首などの桿状を呈する取付部７１，７２，７３が差し込まれると取付孔３，４，５に形成された切込み３２，４２，５２が開いて取付孔７１，７２，７３が拡径し、押し開かれたタグ本体２が前記取付部７１，７２，７３を押圧して前記取付部に固定する。【選択図】図７
2007252356.tif 000002
【特許請求の範囲】
【請求項１】
適宜の形状を有する平板状で適宜軟質のタグ本体に、被装着動物の手、足、尻尾などの取付部が差し込まれる取付孔が形成されているとともに、前記取付孔にその内周縁から外方に向けて切込みが形成されてることを特徴とする動物用の識別タグ。
【請求項２】
前記被装着動物における複数の前記取付部の間隔に合わせて複数の取付孔が前記タグ本体に設けられている請求項１記載の動物用の識別タグ。
【請求項３】
前記本体タグ本体が適宜軟質の合成樹脂シートあるいは不織布により形成されている請求項１又は２記載の動物用の識別タグ。
【請求項４】
前記取付孔の内周縁から外方に向けて形成されている切込みが放射状である請求項１，２または３記載の動物用の識別タグ。
【請求項５】
前記取付孔の内周縁から外方に向けて形成されている切込みが螺旋状である請求項１，２または３記載の動物用の識別タグ。
【請求項６】
前記切込みがミシン目により形成されている請求項４または５記載の動物用の識別タグ。
【発明の詳細な説明】
【技術分野】
【０００１】  本発明は、例えばマウスやモルモットなどの実験用動物、豚や牛などの家畜などのように手足や尻尾を有する動物に装着して個体を識別する動物用の識別タグに関するものである。
【背景技術】
【０００２】  従来、実験用動物や家畜などにはそれぞれ必要な各種の管理をする等の目的で個体識別のための識別タグが装着されており、例えば特開平５−３０８７４号公報、特開２０００−２０９９７５号公報、特開２００５−３３３９２４号公報、特表２００１−５２５１８８号公報等に提示されているように耳に鉗子などを用いて取り付けるもの（耳標）が一般的である。【０００３】  そのため、取り付けに際して専用の鉗子が必要であるとともに情報を表示する部分が狭く、表示が小さくなり確認しにくいばかりか表示の内容も制限されるという問題があり、例えば、実験動物を飼育ゲージから出し入れする際に、情報の確認が困難であったり、取り出した実験用動物を元のゲージに戻す際に動物やゲージを誤ってしまうという問題もあり、特に、マウス等のような小動物にあっては著しい。
【特許文献１】特開平５−３０８７４号公報
【特許文献２】特開２０００−２０９９７５号公報
【特許文献３】特開２００５−３３３９２４号公報
【特許文献４】特表２００１−５２５１８８号公報
【発明の開示】
【発明が解決しようとする課題】
【０００４】  本発明は前記実情に鑑みてなされたものであり、取り付けが簡単且つ確実であるばかりか表示する各種の情報量も多い動物用の識別タグを提供することを課題とするものである。
【課題を解決するための手段】
【０００５】  前記課題を解決するためになされた本発明である動物用の識別タグは、適宜の形状を有する平板状で適宜軟質のタグ本体に、被装着動物の手、足、尻尾などの取付部が差し込まれる取付孔が形成されているとともに、前記取付孔にその内周縁から外方に向けて切込みが形成されてることを特徴とする。【０００６】  前記取付孔に被装着動物の手足、尻尾、首などの桿状を呈する取付部が差し込まれると取付孔に形成された切込みが開いて取付孔が拡径し、押し開かれたタグ本体が前記取付部を押圧して前記取付部に固定されるので取付孔に動物の手、足、尻尾などの取付部を差し込むだけの簡単な作業で取り付けることができる。【０００７】  また、本発明において識別タグを取り付ける動物について複数の前記取付部の間隔に合わせて複数の取付孔が前記タグ本体に設けられていることにより、例えば動物の手と手との間、手と足の間、足と足との間、足と尻尾との間など適宜の組み合わせにより取り付けることができ、取り付けが確実で動物が動いても外れることがなく、タグ本体の取付孔の間に形成される連結部に多くの情報を表示する標識部を形成することができる。【０００８】  更に、本発明において、前記各取付部に設けられた取付孔の内周縁から外方に向けて所定の長さを有する複数の切り込みが放射状または螺旋状に形成されていることにより、全体が薄く且つ一体的に形成されることから、例えば型抜きのような手段によりきわめて簡単に少ない工程で作成することができるので安価なものを多量に製造することも可能であり、識別表示部に印刷する場合も取付部が邪魔にならないので一般的な印刷機の使用も可能であり、経済的でもあり、基材が適宜軟質の合成樹脂板あるいは不織布である場合には、印刷が容易であるばかりか家畜の手足に装着したときにその柔軟性から動物を傷つける心配もない。【０００９】  更にまた、前記取付孔に形成した切り込みがミシン目により形成されている場合には、手、足、尻尾などの取付部によって必要な分だけミシン目が裂けて取付部に応じた孔径を形成するのでより確実に取り付けることができる。
【発明の効果】
【００１０】  以上、本発明によれば、従来の鉗子により耳に取り付ける動物用の識別タグと異なり差し込むだけのきわめて簡単な作業で済み、また、識別に必要な個体情報を多量に表示することができるとともに製造、管理も容易である。
【発明を実施するための最良の形態】
【００１１】  次に、本発明の好ましい実施の形態を添付の図面に基づいて詳細に説明する。【００１２】  図１乃至図３は本発明を例えば実験用動物であるマウスに装着する場合について適用した場合の好ましい実施の形態を示すものであり、本発明である識別タグ１は平面が適宜の幅を有するＴ字形のタグ本体２の３箇所の各先端部には、それぞれ取り付ける動物の左右の後足および尻尾を差し込むための取付孔３，４，５がそれぞれ連設されており、これらは例えば適宜軟質の塩化ビニルやポリプロピレン樹脂などの適宜の柔軟性を有する合成樹脂板あるいは不織布の基板を打ち抜いて一体的に形成される。【００１３】  このとき、取付孔３，４，５の各形成間隔は、この識別タグ１を装着する図３に示す動物７の取付部７１，７２および７３である左右の後足および尻尾の配置間隔に合わせて決定されるが余裕がある分にはそれ程の正確性を要さない。【００１４】  また、本実施の形態では、Ｔ字形のタグ本体２に形成された図３に示した左右の後足７１，７２を差し込むための取付孔３，４の間に形成される帯状部分に標識部６が設けられており、例えば、動物の誕生日、系統（種類や血統）情報、遺伝子情報などの検査や実験に必要な個体情報が印刷等の手段により表示される。この標識部６はタグ本体２と一体であってもよく、また、シール材等により別途に形成してもよい。必要であれば、更に表面を適宜のコーティング剤を用いて処理することにより耐性を向上させることも可能である。【００１５】  また、Ｔ字形のタグ本体２に形成された各取付孔３（４または５）は、図２に示すように、その内周縁３１（４１または５１）から所定の長さを有する複数の切り込み３２（４２または５２）が放射状に所定の間隔で形成されている。【００１６】  以上の構成を有する本実施の形態である動物用の識別タグ１を使用するには、まず、前記標識部６に必要な管理情報を表示した識別タグ１を、図３に示すように、取付孔３，４及び５に使用する動物７の両足および尻尾である取付部７１，７２および７３をタグ本体２の表側から差し込んで装着する。【００１７】  動物７の両足および尻尾である取付部７１，７２および７３が差し込まれると取付孔３，４および５の内周縁３１（４１および５１）から外方に向けて形成されている所定の長さを有する複数の切り込み３２（４２および５２）が開いて、孔径が拡径されるとともに、取付部７１，７２および７３に沿って差し込み方向へと拡開するタグ本体２が取付部７１，７２および７３を押圧して固定することにより、簡単な作業で確実に取り付けることができ、動物７が動いたとしても外れる心配がない。【００１８】  また、本実施の形態では前記両足である取付部７１，７２を差し込んだ取付孔３，４の間の帯状部分に設けられた標識部６が動物７の背中の部分に配置されるように装着されるので、標識部６に表された動物７に関する各種の管理情報を容易に読み取ることができる。【００１９】  また、本実施の形態は適宜の柔軟性を有する合成樹脂板あるいは不織布の基板により形成されているので、装着による負担がなく、取付孔３，４および５に差し込まれた取付部７１，７２および７３である動物７の両足および尻尾を極度に圧迫する心配もない。【００２０】  また、本実施の形態において、識別タグ１を取り外すには前記装着の場合と逆の方向に引き抜くだけでよく、破損や汚染などにより交換が必要な場合にも簡単に対処することができる。【００２１】  尚、本実施の形態では、標識部６について、印刷、熱転写、サーマル発色、レーザープリント等の各種のプリント方式で印字が可能であるが、標識部６はこれらに限るものでなく、例えば、ＲＦＩＤタグのようなＩＣタグを付設することもでき、これらの場合には、更に複雑で高度な情報管理をすることができる。【００２２】  また、本実施の形態では、取付孔３，４および５の内周縁３１（４１および５１）から外方に向けて形成されている複数の切り込み３２（４２および５２）を直線状としたが、これに限らず、例えば波形など（図示せず）、他の線形状であってもよく、切り込み３２（４２および５２）の開始端を面取りしておくことにより（図示せず）比較的硬質の素材を用いた場合にも動物７の損傷が防止できる。【００２３】  図４および図５は、本発明における切り込み３２（４２および５２）についての異なる実施の形態の一部を示すものであり、図４に示したものは、切り込み３２（４２および５２）３３を螺旋状とした点が、図５に示したものはカット部とタイ部とからなるミシン目により形成した点がそれぞれ異なる。【００２４】  切り込み３２（４２および５２）を螺旋状とした場合には、差し込まれる前記動物７の両足および尻尾である取付部７１，７２および７３の太さに合わせて順次、切り込み３３（４２および５２）が裂けるので常に安定した支持状態を保つことができ、ミシン目により形成した場合には、切り込み３２（４２および５２）により必要な分だけ段階的に拡径するので、識別タグ１が常に安定した状態で足に保持されるという利点を有している。【００２５】  図６は本発明の異なる実施の形態を示すものであり、帯状のタグ本体２に所定間隔を有する取付孔３，４および５がそれぞれ一列に連設されたものであり、図７に示すように、取付孔３，４および５を動物７の足、尻尾および足からなる取付部７１，７３および７２にそれぞれ装着するものであり、タグ本体２の各取付孔３，４および５の間に標識部６が形成される。【００２６】  前記図１に示した実施の形態では図３に示すように取付部７１，７２および７３となる両足と尻尾との装着位置に高低差がある動物７の場合に適しており、本実施の形態では図７に示すように取付部７１，７３および７２となる足と尻尾と足との装着位置に高低差がない動物７に適している。【００２７】  更に、図８は本発明の更に異なる実施の形態を示すものであり、タグ本体２が逆Ｙ字形を呈するものであり、例えば、尻尾である取付部が両足である取付部の装着位置よりも高い位置にある動物などに（図示せず）有効である。【００２８】  尚、前記各実施の形態は、本発明の実施の形態の一例であり、本発明はこれらの実施例に限るものでなく、適宜の形状を有する平板状のタグ本体に取り付けられる動物の手、足、尻尾などの取付部が差し込まれる取付孔が形成されているとともに、前記取付孔には差し込まれた前記取付部によって孔径が拡径されてタグ本体が前記取付部を押圧して固定するための切込みが前記取付孔の内周縁から外方に向けて形成されていればよく、また、前記実施の形態のように、動物の足や尻尾など複数箇所に装着する取付孔を有する場合には、取付ける動物における複数の前記取付部の間隔に合わせて複数の取付孔が前記タグ本体に設けられている構成であればよく、装着する動物の手足や尻尾などの複数の装着箇所の選択に伴う取付孔の数、タグ本体の形状などは問わない。【００２９】  更に、本実施の形態では主として実験動物に用いる識別タグについて説明したが、例えば豚や牛のような家畜など各種の用途に使用することができるものである。
【図面の簡単な説明】
【００３０】
【図１】本発明の好ましい実施の形態を示す正面図。
【図２】図１の拡大部分図。
【図３】図１に示した実施の形態を装着した状態を示す説明図。
【図４】図１に示した実施の形態において取付孔の異なる実施の形態を示す正面拡大部分図。
【図５】図１に示した実施の形態において取付孔の異なる実施の形態を示す正面拡大部分図。
【図６】本発明の異なる実施の形態を示す正面拡大部分図。
【図７】図６に示した実施の形態を装着した状態を示す説明図。
【図８】本発明の更に異なる実施の形態を示す正面拡大部分図。
【符号の説明】
【００３１】  １  識別タグ、２  タグ本体、３，４，５  取付孔、６  標識部、７  動物、３１，４１，５１  内周縁、３２，４２，５２  切り込み、７１，７２，７３  取付部
【図１】
2007252356.tif 000003
【図２】
2007252356.tif 000004
【図３】
2007252356.tif 000005
【図４】
2007252356.tif 000006
【図５】
2007252356.tif 000007
【図６】
2007252356.tif 000008
【図７】
2007252356.tif 000009
【図８】
2007252356.tif 000010